(57)【要約】      （修正有）【課題】弧の円周角の定理を応用することによりトラッキングエラーを生じないトーンアーム及びヘッドシェルを提供する。【解決手段】ヘッドシェルのカートリッジ担持機能をヘッドシェル回動部４とし、レコード針の鉛直線上Ｂでヘッドシェル基幹部３に連結する。ヘッドシェル回動部４に固定した軸芯Ｂを通るスライド棒５は、キャビティ上のガイド棒７に位置Ｃで摺動する。このときスピンドルの軸芯Ａ、ヘッドシェル回動部軸芯Ｂ、スライド棒とガイド棒の接点Ｃ、及びトーンアーム回動支点Ｏに対するＡの点対象位置Ｄを、ＡＯを半径とする仮想円Ｙ上に配置することにより、∠ＤＡＣ＝∠ＤＢＣとともに∠ＡＢＤ＝直角となる。これによりカンチレバーはレコード針が接するレコード溝の接線上に位置するためトラッキングエラー角は常に０度となりトラッキングエラーを生じない。【選択図】図１
0003213277.tif 000002
【実用新案登録請求の範囲】
【請求項１】
アナログレコードの再生に使用する、一支点回動のトーンアーム及びトーンアームの先端に装着するヘッドシェルにおいて、カートリッジの担持機能をヘッドシェル回動部としてヘッドシェル基幹部より分離し、カンチレバーの先端すなわちレコード針の先端を通る鉛直線を軸に水平方向に自由回動する機構を持たせるとともに、ヘッドシェル回動部には同回動軸芯を通るレコード面に平行でカートリッジの中心線に対して右回りに４５度乃至８０度の開き角をとる位置にスライド棒を付加固定する。ヘッドシェル回動部はヘッドシェル基幹部に連結した状態でコネクタによりトーンアームに接続する。
レコードの再生中、スライド棒はレコードプレーヤーのキャビティ上面に垂直に立てたガイド棒に接して動く。このとき、レコードの中心すなわちスピンドルの中心（Ａ）、及びレコード針の先端を通るヘッドシェル回動部の軸芯（Ｂ）、及びスライド棒とガイド棒の接点（Ｃ）はトーンアームの回動支点（Ｏ）から等距離に位置する。また点（Ｄ）を線分（ＡＯ）の延長線上で線分（ＤＯ）＝線分（ＡＯ）とすると、（Ａ、Ｂ、Ｃ、Ｄ）は（Ｏ）を中心とする半径（ＯＡ）の円（Ｙ）上にあることから、円周角の定理により角（∠ＤＡＣ）＝角（∠ＤＢＣ）である。またカートリッジの中心線及びカンチレバー及びヘッドシェル回動部の中心線は線分（ＤＢ）の垂直平面上にあるとともに、角（∠ＡＢＤ）は直角であることからカンチレバーはレコード針の接するレコード溝の接線上に位置する。従ってトラッキングエラー角は常に０度である。
以上の機構と構造によりトラッキングエラーを生じないトーンアーム及びヘッドシェル。
【請求項２】
ヘッドシェル回動部を同回動機構に対応した取付け機構を有するトーンアームに直接連結する。これにより「請求項１」と同様の機構と構造によるトラッキングエラーを生じないトーンアーム及びヘッドシェル。
【考案の詳細な説明】
【技術分野】
【０００１】  本考案は、アナログレコードの再生において、先端にレコード針のついたカンチレバーを有するカートリッジの担持機能をヘッドシェルから分離してヘッドシェル回動部とするとともに、ヘッドシェル回動部にスライド棒を付加固定し、レコードの再生中はレコードプレーヤーのキャビティー上面に垂直に取り付けたガイド棒にスライド棒が接して動くことによりカンチレバーをレコード針が接するレコード溝の接線上に置くことができることでトラッキングエラーを生じないトーンアーム及びヘッドシェルに関するものである。
【背景技術】
【０００２】  ユニバーサルタイプと呼ばれる一支点回動のトーンアームはレコード盤の外側から内側に向かって回動するとき、カンチレバーの向きは針先が接するレコード溝の接線に対してトラッキングエラーの原因となる角度誤差を生じる。この対策として、これまでにも複数の機構上の工夫がされているが、理論的に不完全もしくは機構や構造上の問題により実用に供せないものが多い。
【先行技術文献】
【特許文献】
【０００３】
【特許文献１】特開平９−５４９０１
【実用新案文献】
【０００４】
【実用新案文献１】
昭６１−６８５２０
【実用新案文献２】
昭６１−９５０４２
【実用新案文献３】
昭６２−２９５４
【実用新案文献４】
昭６２−１７６６１７
【考案の概要】
【考案が解決しようとする課題】
【０００５】  トラッキングエラーの生じないトーンアーム及びヘッドシェルを実現するためには、トラッキングエラーの生じないことを理論的に保証できること。及び実用にかなう機構と構造であること。この２点である。
【課題を解決するための手段】
【０００６】  本考案は、ユークリッド幾何学における、同一円弧上の円周角は同じであることと、直径上の円周角は直角（９０度）であることの二つの定理に基づいている。また、カンチレバーの方向を安定させるためにヘッドシェル回動部に付加固定するスライド棒は曲げに強い材質を使用する。
【考案の効果】
【０００７】  上述により、カンチレバーは常にレコード針の接するレコード溝の接線上に位置することが出来ることによりトラッキングエラーを生じない。
【図面の簡単な説明】
【０００８】
【図１】本考案の一実施例の概要を示す平面図である。
【考案を実施するための形態】
【０００９】  ヘッドシェル回動部は水平方向の自由回動機構をともなってヘッドシェル基幹部に連結されるとともに、ヘッドシェル基幹部のコネクタを介してトーンアームに取り付けられる。または、ヘッドシェル回動部は直接トーンアームの先端部に連結される。またヘッドシェルの回動軸心はカンチレバーの先端すなわちレコード針の先端の鉛直線上に位置する。また、ヘッドシェル回動部には同回動軸芯を通るレコード面に平行なスライド棒を付加固定する。トーンアームの回動支点からヘッドシェル回動軸心までの距離はトーンアーム回動支点からレコード中心、すなわちスピンドル軸芯までの距離に等しく設定される。また、レコード針にはレコード面に対して右回りのトルクが働くことからスライド棒は常にガイド棒に接している。ただし右回りのトルクが小さい時はガイド棒の上端から軽いオモリを錐下してスライド棒をガイド棒に押し付けることも可能である。また、スライド棒とガイド棒の接点はトーンアームの回動支点を中心とし、トーンアーム回動支点からスピンドル軸芯までの距離を半径とする円周上にある。また、トーンアーム回動支点とスピンドル軸芯及びスライド棒とガイド棒の接点の角度は概ね４５度から８０度であり６０度前後が実用的である。また、この角度はカートリッジの中心線とスライド棒が作る角度に等しくなければならない。以上によりトラッキングエラーのないトーンアーム及びヘッドシェルが実現される。なお、スライド棒が糸や紐であってはならない。糸や紐はレコード針に働くトルクに負けカンチレバーの向きに狂いを生じるためである。
【実施例】
【００１０】  以下、添付図面に従って一実施例を説明する。ガイド棒７はレコードプレーヤーのキャビネット上面に垂直に取り付けられ、トーンアームの回動支点Ｏを中心とする半径ＯＡの円Ｙに接している。このとき角度∠ＯＡＣまたは角度∠ＤＡＣはレコードプレーヤーのキャビネットのスペース、及びトーンアームの長さを勘案した設計の手続きから４５度から８０度の間で定める。実施例では６０度を採用した。【００１１】  ヘッドシェル回動部４はヘッドシェル基幹部３の位置Ｂに自由回動する機構により連結される。位置Ｂはまた、カートリッジのカンチレバーの先端位置すなわちレコード針先端の鉛直線上であり、かつ円Ｙ上に位置している。【００１２】  また、ヘッドシェル回動部に付加固定されたスライド棒５はヘッドシェル回動部４に担持されたカートリッジの中心線に対して位置Ｂを通る角度∠ＤＢＣ＝∠ＤＡＣとなる線分ＢＣ上に取り付けられ、レコードの再生中は常にガイド棒７に位置Ｃで接して動く。【００１３】  このとき角度∠ＤＡＣと角度∠ＤＢＣは共に円Ｙの円弧ＣＤの円周角であって等しいこと。及び角度∠ＡＢＤは円Ｙの直径上の円弧であり直角であること。及びカートリッジの中心線すなわちヘッドシェル回動部４の中心線は線分ＢＤ上にあることにより、カートリッジのカンチレバーはレコード針が接するレコード溝の接線上にある。以上によりトラッキングエラー角は常に０度であり、トラッキングエラーを生じない。
【符号の説明】
【００１４】  １  レコードまたはターンテーブル
２  トーンアーム
３  ヘッドシェル基幹部
４  ヘッドシェル回動部
５  スライド棒
６  レコード針圧調整用のバランスウェイト。
７  ガイド棒
Ｏ  トーンアームの回動支点
Ａ  レコードの中心であり、ターンテーブルの中心であり、スピンドルの軸芯
Ｂ  ヘッドシェル回動部の回動軸芯。カンチレバーの先端すなわちレコード針の先端の鉛直線上にある。
Ｃ  スライド棒がガイド棒に接する位置
Ｄ  線分ＡＯの延長線上にあり、線分ＡＯ＝線分ＤＯ
Ｙ  Ｏを中心とし、線分ＡＯを半径とする仮想円。Ａ、Ｂ、Ｃ、Ｄは円Ｙ上に位置する。
【図１】
0003213277.tif 000003
【手続補正書】
【提出日】平成29年8月10日(2017.8.10)
【手続補正１】
【補正対象書類名】実用新案登録請求の範囲
【補正対象項目名】全文
【補正方法】変更
【補正の内容】
【実用新案登録請求の範囲】
【請求項１】
アナログレコードの再生に使用する一支点回動のトーンアーム及びトーンアームの先端に装着するヘッドシェルにおいて、
（１）ヘッドシェルをトーンアームに装着するヘッドシェル基幹部とカートリッジの担持機能を担うヘッドシェル回動部に分け、
（２）カンチレバーの先端すなわちレコード針の先端を通る鉛直線を軸に水平方向に自由回動する機構でヘッドシェル回動部をヘッドシェル基幹部に連結した状態でトーンアームに装着するとともに、
（３）ヘッドシェル回動部には回動軸芯を基点にカートリッジの中心線に対して右回りに４５度乃至８０度の開き角度でレコード面に平行なスライド棒を付加し、
（４）レコードの再生中スライド棒はレコードプレーヤーのスピンドル中心とトーンアームの回動支点とを結ぶ直線に対してスピンドル中心を基点に右回りにカートリッジの中心線とスライド棒間に等しい開き角度でキャビティ上面のレコード針の軌跡に外接する位置に垂直に立てたガイド棒に接していることで、
（５）カンチレバーは常にレコード溝の接線方向にありトラッキングエラー角は０度となる、
以上の構造と機構によりトラッキングエラーを生じないトーンアーム及びヘッドシェル。
【請求項２】
アナログレコードの再生に使用する一支点回動のトーンアームにおいて、
（１）カートリッジを取り付けたヘッドシェルをカンチレバーの先端すなわちレコード針の先端を通る鉛直線を軸に水平方向に自由回動する機構でトーンアームに直接連結するとともに、
（２）ヘッドシェルには回動軸芯を基点にカートリッジの中心線に対して右回りに４５度乃至８０度の開き角度でレコード面に平行なスライド棒を付加し、
（３）レコードの再生中スライド棒はレコードプレーヤーのスピンドル中心とトーンアームの回動支点とを結ぶ直線に対してスピンドル中心を基点に右回りにカートリッジの中心線とスライド棒間に等しい開き角度でキャビティ上面のレコード針の軌跡に外接する位置に垂直に立てたガイド棒に接していることで、
（４）カンチレバーは常にレコード溝の接線方向にありトラッキングエラー角は０度となる、
以上の構造と機構によりトラッキングエラーを生じないトーンアーム。